(57)【特許請求の範囲】
【請求項１】
複数の無線通信信号を送信するためのＲＦフロントエンドであって、
無線特性を変更する複数の要素であり、フィルタ及び電力制限要素を含む前記複数の要素と、
前記複数の要素を連結する複数のマルチプレクサであり、ＲＦ保護クラス信号を取得し、取得された前記ＲＦ保護クラス信号に基づいて前記複数の要素のうちの１つ又は複数の要素を選択的に有効／無効にし、有効にされた要素に送信される信号を通すことにより、前記送信される信号に前記複数の要素を選択的に適用する前記複数のマルチプレクサと、
を備えるＲＦフロントエンド。
【請求項２】
前記ＲＦフロントエンドは、ベースバンドプロセッサから前記ＲＦ保護クラス信号を取得する、
請求項１に記載のＲＦフロントエンド。
【請求項３】
前記複数の要素は、複数の帯域外発射の制限、複数のスプリアス発射の制限、複数の最大電力出力レベルの制限、および、最大電力スペクトル密度の制限の少なくとも１つによって、保護を与える複数の保護要素を有する、
請求項１または２に記載のＲＦフロントエンド。
【請求項４】
前記複数の要素は、ハイパスフィルタ、ローパスフィルタおよびバンドパスフィルタの１つ又は複数を有する、
請求項１から３の何れか一項に記載のＲＦフロントエンド。
【請求項５】
前記複数の要素は、前記ＲＦフロントエンドによって出力される信号の、複数の出力電力レベル、複数の時間領域振幅レベル、複数の電力スペクトル密度制限、複数の発射マスク制限、複数のスプリアス発射制限、および、複数の隣接チャンネル漏れ電力比制限の少なくとも１つを制限する、１つ又は複数の電力制限要素を有する、
請求項１から４の何れか一項に記載のＲＦフロントエンド。
【請求項６】
前記ＲＦ保護クラス信号は、ＲＦ＿保護＿無、ＲＦ＿保護＿中位、及び、ＲＦ＿保護＿高位のうちの１つを含む値を有する、
請求項１から５の何れか一項に記載のＲＦフロントエンド。
【請求項７】
前記ＲＦフロントエンドは更に、ＲＦ＿保護＿無の値を有する前記ＲＦ保護クラス信号に応答して、前記複数の要素を一切適用しない、
請求項６に記載のＲＦフロントエンド。
【請求項８】
前記ＲＦフロントエンドは更に、ＲＦ＿保護＿中位の値を有する前記ＲＦ保護クラス信号に応答して、ローパスフィルタ保護要素およびバンドパスフィルタ保護要素を選択的に適用する、
請求項６または７に記載のＲＦフロントエンド。
【請求項９】
前記ＲＦフロントエンドは更に、ＲＦ＿保護＿高位の値を有する前記ＲＦ保護クラス信号に応答して、ローパスフィルタ保護要素、バンドパスフィルタ保護要素、出力制限保護要素、及び、時間領域振幅制限保護要素を選択的に適用する、
請求項６から８の何れか一項に記載のＲＦフロントエンド。
【請求項１０】
無線特性を変更する複数の要素であり、フィルタ及び電力制限要素を含む前記複数の要素及び前記複数の要素を連結する複数のマルチプレクサを有するＲＦフロントエンドと、
無線構成ソフトウェアを実行し、前記無線構成ソフトウェアと関連付けられたＲＦ保護クラスを表すＲＦ保護クラス信号を出力するよう動作可能な無線仮想マシンを有するベースバンドプロセッサと
を備え、
前記複数のマルチプレクサは、前記無線仮想マシンから前記ＲＦ保護クラス信号を受信し、取得された前記ＲＦ保護クラス信号に基づいて前記複数の要素のうちの１つ又は複数の要素を選択的に有効／無効にし、有効にされた要素に送信される信号を通すことにより、前記送信される信号に前記複数の要素を選択的に適用する、
再構成可能な無線デバイス。
【請求項１１】
前記複数の要素は、複数の帯域外発射の制限、複数のスプリアス発射の制限、複数の最大電力出力レベルの制限、および、最大電力スペクトル密度の制限の少なくとも１つによって、保護を与える複数の保護要素を有する、
請求項１０に記載の再構成可能な無線デバイス。
【請求項１２】
前記再構成可能な無線デバイスは、前記無線構成ソフトウェアと関連付けられた前記ＲＦ保護クラスを認証エンティティから取得する、
請求項１０または１１に記載の再構成可能な無線デバイス。
【請求項１３】
前記再構成可能な無線デバイスは、ファームウェアのアップデートによって再構成可能、ソフトウェアによって部分的に再構成可能、又は、複数の無線仮想マシンコードのアップデートによって再構成可能となる、
請求項１０から１２の何れか一項に記載の再構成可能な無線デバイス。
【請求項１４】
前記無線構成ソフトウェアを認証するのに必要とされる認証レベルは、前記無線構成ソフトウェアと関連付けられた前記ＲＦ保護クラスに依存する、
請求項１０から１３の何れか一項に記載の再構成可能な無線デバイス。
【請求項１５】
無線ネットワーク内での使用のためのユーザ機器であって、
少なくとも１つの、請求項１０から１４の何れか一項に記載の再構成可能な無線デバイスと、
スクリーン、スピーカ、タッチスクリーン、キーボード、複数のアンテナを含むアンテナアレイ、グラフィックプロセッサ、又は、アプリケーションプロセッサの１つ又は複数と
を備える、ユーザ機器。
【請求項１６】
再構成可能な無線デバイスの１つ又は複数の送受信機機能を構成する無線構成ソフトウェアを実行する段階と、
前記無線構成ソフトウェアと関連付けられたＲＦ保護クラスに基づいてＲＦ保護クラス信号を生成する段階と、
無線特性を変更する複数の要素であり、フィルタ及び電力制限要素を含む前記複数の要素を連結する複数のマルチプレクサにより、前記ＲＦ保護クラス信号に基づいて前記複数の要素のうちの１つ又は複数の要素を選択的に有効／無効にし、有効にされた要素にＲＦフロントエンド内の信号を通すことにより、前記信号に前記複数の要素を選択的に適用する段階と、
を含む方法。
【請求項１７】
前記複数の要素は、ローパスフィルタ、ハイパスフィルタ、及び、バンドパスフィルタの１つ又は複数を有する、
請求項１６に記載の方法。
【請求項１８】
前記複数の要素は、前記ＲＦフロントエンドによって出力される信号の、複数の出力電力レベルおよび複数の時間領域振幅レベルの少なくとも１つを制限する、１つ又は複数の電力制限要素を有する、
請求項１６または１７に記載の方法。
【請求項１９】
前記複数の要素は、複数の帯域外発射の制限、複数のスプリアス発射の制限、複数の最大電力出力レベルの制限、および／または、最大電力スペクトル密度の制限の少なくとも１つによって、保護を与える複数の保護要素を有する、
請求項１６から１８の何れか一項に記載の方法。
【請求項２０】
コンピュータに、
再構成可能な無線デバイスの１つ又は複数の送受信機機能を構成する手順と、
無線構成ソフトウェアと関連付けられたＲＦ保護クラスに基づいてＲＦ保護クラス信号を生成する手順と、
無線特性を変更する複数の要素であり、フィルタ及び電力制限要素を含む前記複数の要素を連結する複数のマルチプレクサにより、前記ＲＦ保護クラス信号に基づいて前記複数の要素のうちの１つ又は複数の要素を選択的に有効／無効にし、有効にされた要素にＲＦフロントエンド内の信号を通すことにより、前記信号に前記複数の要素を選択的に適用する手順と、
を実行させるためのプログラム。
【請求項２１】
前記複数の要素は、複数の帯域外発射の制限、複数のスプリアス発射の制限、複数の最大電力出力レベルの制限、および、最大電力スペクトル密度の制限の少なくとも１つによって、保護を与える複数の保護要素を有する、
請求項２０に記載のプログラム。
【請求項２２】
請求項２０または２１に記載のプログラムを格納する、コンピュータ可読記録媒体。
【発明の詳細な説明】
【技術分野】
【０００１】
本明細書で説明される実施形態は概して、無線通信のフィールドに関連する。より具体的には、再構成可能な無線送受信機に関連する。
【背景技術】
【０００２】
無線送受信機は通常、１つの、又は少数の固定無線アクセス技術（ＲＡＴ）をサポートするよう設計されている。例えば、無線送受信機は、ＷｉＦｉ技術、又は、第３世代パートナーシッププロジェクト３Ｇ若しくはロングタームエボリューション（ＬＴＥ）ＲＡＴなどの特定のＵＴＲＡＮアクセスネットワーク技術をサポートし得る。
【０００３】
無線送受信機が異なるＲＡＴをサポートするよう再構成されることを可能にすべく、必須の無線特性（キャリア周波数、スペクトル帯域幅、変調技術、コーディング技術、出力電力レベル等）が変更され得るような態様で再構成可能な無線ハードウェアプラットフォームを提供する、再構成可能な無線送受信機が提案されてきた。
【０００４】
再構成可能な無線送受信機が、各国での国内規制当局（national regulators）によって定められた認証要件に適合可能となるように、数少ない既定義の固定ＲＡＴをサポートする現在の送受信機と同じ性能要件に適合可能であることが重要である。特に、何れの再構成もまた、国内ネットワーク上で使用されるデバイスに配置される前に、認証要件に適合しなければならない。
【０００５】
しかしながら、再構成可能な無線送受信機の再認証は通常、高価で時間がかかる。
【図面の簡単な説明】
【０００６】
本発明の複数の実施形態の複数の態様、複数の特徴および複数の利点が、添付の図面を参照して、本発明の以下の説明から明らかになるであろう。添付の図面において、類似する数字は、類似する要素を示している。
【図１】改良されたＲ＆ＴＴＥディレクティブによる、ラジオアプリフレームワークを示している。
【図２】再構成可能な無線機器アーキテクチャのブロック図である。
【図３】幾つかの実施形態による、再構成可能な無線機器アーキテクチャのブロック図である。
【図４】特定の保護メカニズムを備えない、ＲＦ送受信機アーキテクチャのブロック図である。
【図５】幾つかの実施形態による、複数の帯域外保護メカニズムを備えるＲＦ送受信機アーキテクチャのブロック図である。
【図６】幾つかの実施形態による、帯域外保護メカニズム、最大時間領域振幅メカニズム、及び、最大電力出力メカニズムを備えるＲＦ送受信機アーキテクチャのブロック図である。
【図７】幾つかの実施形態による、帯域外保護メカニズム、最大時間領域振幅メカニズム、及び、最大電力出力メカニズムを備える代替的なＲＦ送受信機アーキテクチャのブロック図である。
【図８】複数の保護要素の選択的な適用を可能にする、ＲＦ送受信機アーキテクチャのブロック図である。
【図９】複数の保護要素の選択的な適用を可能にする、更なるＲＦ送受信機アーキテクチャのブロック図である。
【図１０】複数の保護要素の選択的な適用を可能にする、また更なるＲＦ送受信機アーキテクチャのブロック図である。
【図１１】複数の保護要素の選択的な適用を可能にする、ヘテロダイン式のＲＦ送受信機アーキテクチャのブロック図である。
【図１２】複数の保護要素の選択的な適用を可能にする、代替的なヘテロダイン式のＲＦ送受信機アーキテクチャのブロック図である。
【図１３】様々な実施形態による例示的なシステムを示しているブロック図である。
【図１４】本明細書で開示される本発明の複数の方法の１つ又は複数による、無線ネットワークにおいて通信するよう構成された例示的な無線装置を示すブロック図である。
【発明を実施するための形態】
【０００７】
本開示の複数の例示的な実施形態は、複数の再構成可能な無線プラットフォームを提供する複数の方法、複数のシステムおよび複数の装置を含むが、これらに限定されない。
【０００８】
複数の例示的な実施形態の様々な態様は、当業者がそれらの働きの本質を他の当業者に伝えるのに一般に用いる複数の用語を使用して説明されるであろう。しかしながら、幾つかの代替的な実施形態が、説明される複数の態様の複数の部分を用いて実施され得ることが、当業者に明らかとなるであろう。説明の複数の目的で、複数の例示的な実施形態の深い理解を提供すべく、複数の特定の数、材料および構成が記載される。しかしながら、複数の代替的な実施形態が、具体的な詳細が無くとも実施され得ることが、当業者に明らかとなるであろう。他の複数の例において、周知の特徴は、複数の例示的な実施形態を不明瞭にしないよう省略され又は簡略化される。
【０００９】
更に、様々な操作が、複数の個別の操作として説明され、同様に、複数の例示的な実施形態を理解する際に最も役立つ態様で説明されるであろう。しかしながら、説明の順序が、それらの操作が必ず順序に依存することを示唆するものと解釈されるべきではない。特に、それらの操作は、提示の順序で実行される必要は無い。
【００１０】
「一実施形態において」という表現が、繰り返し使用される。この表現は概して、同じ実施形態を指していないが、しかしながら、同じ実施形態を指していてもよい。「備える（ｃｏｍｐｒｉｓｉｎｇ）」、「有する（ｈａｖｉｎｇ）」、および「含む（ｉｎｃｌｕｄｉｎｇ）」という用語は、コンテキストがそうでないと指示しない限りは同義である。「Ａ／Ｂ」という表現は、「ＡまたはＢ」を意味する。「Ａおよび／またはＢ」という表現は、「（Ａ）、（Ｂ）または（ＡおよびＢ）」を意味する。「Ａ、ＢおよびＣの少なくとも１つ」という表現は、「（Ａ）、（Ｂ）、（Ｃ）、（ＡおよびＢ）、（ＡおよびＣ）、（ＢおよびＣ）、または（Ａ、ＢおよびＣ）」を意味する。「（Ａ）Ｂ」という表現は、「（Ｂ）または（ＡＢ）」、すなわち、Ａは任意であることを意味する。
【００１１】
複数の具体的な実施形態が本明細書で示されて説明されるが、多種多様な代替的および／または等価的な実装が、本開示の複数の実施形態の範囲から逸脱すること無く、示されて説明される複数の具体的な実施形態の代わりに用いられ得ることが、当業者によって理解されるであろう。本願は、本明細書で論じられる複数の実施形態の何れの改変または変形も網羅することを意図されている。従って、本開示の複数の実施形態は、特許請求の範囲、及び、その複数の等価物のみによって限定されることが明白に意図されている。
【００１２】
本明細書において用いられるように、「モジュール」という用語は、特定用途向け集積回路（ＡＳＩＣ）、電子回路、１つ又は複数のソフトウェアまたはファームウェアの複数の命令および／または複数のプログラムを実行する（共有、専用、またはグループの）プロセッサおよび／または（共有、専用、またはグループの）メモリ、組み合わせロジック回路、および／または、説明される機能を提供する他の適切な複数の構成要素を指し得、又は、それらの一部であり得、又は、それらを含み得る。
【００１３】
幾つかの実施形態は、例えば、パーソナルコンピュータ（ＰＣ）、デスクトップコンピュータ、モバイルコンピュータ、ラップトップコンピュータ、ノートブックコンピュータ、タブレットコンピュータ、サーバコンピュータ、ハンドヘルドコンピュータ、ハンドヘルドデバイス、携帯情報端末（ＰＤＡ）デバイス、ハンドヘルドＰＤＡデバイス、オンボードデバイス、オフボードデバイス、ハイブリッドデバイス、乗物用デバイス、非乗物用デバイス、モバイルまたはポータブルデバイス、消費者向けデバイス、非モバイルまたは非ポータブルデバイス、無線通信局、無線通信デバイス、無線アクセスポイント（ＡＰ）、有線または無線ルータ、有線または無線モデム、ビデオデバイス、オーディオデバイス、オーディオビデオ（Ａ／Ｖ）デバイス、有線または無線ネットワーク、ワイヤレスエリアネットワーク、無線ビデオエリアネットワーク（ＷＶＡＮ）、ローカルエリアネットワーク（ＬＡＮ）、無線ＬＡＮ（ＷＬＡＮ）、パーソナルエリアネットワーク（ＰＡＮ）、無線ＰＡＮ（ＷＰＡＮ）等といった、様々なデバイスおよびシステムと併せて使用されてもよい。
【００１４】
幾つかの実施形態は、例えば、無線周波数（ＲＦ）、赤外線（ＩＲ）、周波数分割多重化（ＦＤＭ）、直交ＦＤＭ（ＯＦＤＭ）、時分割多重化（ＴＤＭ）、時分割多重アクセス（ＴＤＭＡ）、拡張ＴＤＭＡ（ＥＴＤＭＡ）、汎用パケット無線サービス（ＧＰＲＳ）、拡張ＧＰＲＳ、コード分割多重アクセス（ＣＤＭＡ）、広帯域ＣＤＭＡ（ＷＣＤＭＡ（登録商標））、ＣＤＭＡ２０００、シングルキャリアＣＤＭＡ、マルチキャリアＣＤＭＡ、マルチキャリア変調（ＭＤＭ）、離散マルチトーン（ＤＭＴ）、Ｂｌｕｅｔｏｏｔｈ（登録商標）、全地球測位システム（ＧＰＳ）、Ｗｉ−Ｆｉ（登録商標）、Ｗｉ−Ｍａｘ、ＺｉｇＢｅｅ（登録商標）、超広帯域（ＵＷＢ）、（例えば汎欧州デジタル移動電話方式（ＧＳＭ（登録商標））無線通信技術、汎用パケット無線サービス（ＧＰＲＳ）無線通信技術、Ｅｎｈａｎｃｅｄ Ｄａｔａ Ｒａｔｅｓ ｆｏｒ ＧＳＭ（登録商標） Ｅｖｏｌｕｔｉｏｎ （ＥＤＧＥ）無線通信技術、および／または、第３世代パートナーシッププロジェクト（３ＧＰＰ）無線通信技術（例えば、ＵＭＴ（ユニバーサルモバイルテレコミュニケーションシステム）、ＦＯＭＡ（Ｆｒｅｅｄｏｍ ｏｆ Ｍｕｌｔｉｍｅｄｉａ Ａｃｃｅｓｓ）、３ＧＰＰ  ＬＴＥ（ロングタームエボリューション）、３ＧＰＰ  ＬＴＥアドバンスド（アドバンスドロングタームエボリューション））を含み得る）セルラ広域無線通信技術、ＣＤＭＡ２０００（符号分割多重アクセス２０００）、ＣＤＰＤ（セルラデジタルパケットデータ）、モビテックス、３Ｇ（第３世代）、ＣＳＤ（回路交換データ）、ＨＳＣＳＤ（高速回路交換データ）、ＵＭＴＳ（３Ｇ）（ユニバーサルモバイルテレコミュニケーションシステム（第３世代））、Ｗ−ＣＤＭＡ（ＵＭＴＳ）（広帯域符号分割多重アクセス（ユニバーサルモバイルテレコミュニケーションシステム））、ＨＳＰＡ（高速パケットアクセス）、ＨＳＤＰＡ（高速ダウンリンクパケットアクセス）、ＨＳＵＰＡ（高速アップリンクパケットアクセス）、ＨＳＰＡ＋（高速パケットアクセスプラス）、ＵＭＴＳ−ＴＤＤ（ユニバーサルモバイルテレコミュニケーションシステム−時分割複信）、ＴＤ−ＣＤＭＡ（時分割−符号分割多重アクセス）、ＴＤ−ＣＤＭＡ（時分割−同期的符号分割多重アクセス）、３ＧＰＰ  Ｒｅｌ．８（Ｐｒｅ−４Ｇ）（第３世代パートナーシッププロジェクトリリース８（プレ第４世代））、３ＧＰＰ  Ｒｅｌ．９（第３世代パートナーシッププロジェクトリリース９）、３ＧＰＰ  Ｒｅｌ．１０（第３世代パートナーシッププロジェクトリリース１０）、３ＧＰＰ  Ｒｅｌ．１１（第３世代パートナーシッププロジェクトリリース１１）、３ＧＰＰ  Ｒｅｌ．１２（第３世代パートナーシッププロジェクトリリース１２）、３ＧＰＰ  Ｒｅｌ．１３（第３世代パートナーシッププロジェクトリリース１３）、３ＧＰＰ  Ｒｅｌ．１４（第３世代パートナーシッププロジェクトリリース１４）、ＵＴＲＡ（ＵＭＴＳ地上無線アクセス）、Ｅ−ＵＴＲＡ（進化型ＵＭＴＳ地上無線アクセス）、ＬＴＥアドバンスド（４Ｇ）（アドバンスドロングタームエボリューション（第４世代））、ｃｄｍａＯｎｅ（２Ｇ）、ＣＤＭＡ２０００（３Ｇ）（符号分割多重アクセス２０００（第３世代））、ＥＶ−ＤＯ（Ｅｖｏｌｕｔｉｏｎ−Ｄａｔａ ＯｐｔｉｍｉｚｅｄまたはＥｖｏｌｕｔｉｏｎ−Ｄａｔａ Ｏｎｌｙ）、ＡＭＰＳ（１Ｇ）（アドバンスドモバイルフォンシステム（第１世代））、ＴＡＣＳ／ＥＴＡＣＳ（トータルアクセス通信システム／拡張トータルアクセス通信システム）、Ｄ−ＡＭＰＳ（２Ｇ）（デジタルＡＭＰＳ（第２世代））、ＰＴＴ（プッシュツートーク）、ＭＴＳ（移動電話システム）、ＩＭＴＳ（改善移動電話システム）、ＡＭＴＳ（アドバンスド移動電話システム）、ＯＬＴ（パブリックランドモバイルテレフォニー、ノルウェー語でＯｆｆｅｎｔｌｉｇ Ｌａｎｄｍｏｂｉｌ Ｔｅｌｅｆｏｎｉ）、ＭＴＤ（モバイルテレフォニーシステムＤ、又は、スウェーデン語でａｂｂｒｅｖｉａｔｉｏｎ ｆｏｒ Ｍｏｂｉｌｔｅｌｅｆｏｎｉｓｙｓｔｅｍ Ｄ）、Ａｕｔｏｔｅｌ／ＰＡＬＭ（Ｐｕｂｌｉｃ Ａｕｔｏｍａｔｅｄ Ｌａｎｄ Ｍｏｂｉｌｅ）、ＡＲＰ（「カーラジオフォン」、フィンランド度でＡｕｔｏｒａｄｉｏｐｕｈｅｌｉｎ）、ＮＭＴ（Ｎｏｒｄｉｃ Ｍｏｂｉｌｅ Ｔｅｌｅｐｈｏｎｙ）、Ｈｉｃａｐ（Ｈｉｇｈ ｃａｐａｃｉｔｙ ｖｅｒｓｉｏｎ ｏｆ ＮＴＴ（Ｎｉｐｐｏｎ Ｔｅｌｅｇｒａｐｈ ａｎｄ Ｔｅｌｅｐｈｏｎｅ））、ＣＤＰＤ（セルラデジタルパケットデータ）、モビテックス、ＤａｔａＴＡＣ、ｉＤＥＮ（Ｉｎｔｅｇｒａｔｅｄ Ｄｉｇｉｔａｌ Ｅｎｈａｎｃｅｄ Ｎｅｔｗｏｒｋ）、ＰＤＣ（パーソナルデジタルセルラ）、ＣＳＤ（回路交換データ）、ＰＨＳ（Ｐｅｒｓｏｎａｌ Ｈａｎｄｙ−ｐｈｏｎｅ Ｓｙｓｔｅｍ）、ＷｉＤＥＮ（Ｗｉｄｅｂａｎｄ Ｉｎｔｅｇｒａｔｅｄ Ｄｉｇｉｔａｌ Ｅｎｈａｎｃｅｄ Ｎｅｔｗｏｒｋ）、ｉＢｕｒｓｔ、Ｕｎｌｉｃｅｎｓｅｄ Ｍｏｂｉｌｅ Ａｃｃｅｓｓ（ＵＭＡ、３ＧＰＰ汎用アクセスネットワークまたはＧＡＮ規格と称されもする））、ならびに／または、それらの将来の複数のバージョンおよび／もしくは複数の派生語、上記の複数のネットワークの一部である複数のユニットおよび／もしくはデバイス等といった、１つ又は複数のタイプの無線通信信号および／またはシステムと併せて使用されてもよい。
【００１５】
幾つかの実施形態は、複数の片方向および／または双方向無線通信システム、セルラ無線電話通信システム、モバイルフォン、セルラ電話、無線電話、パーソナル通信システム（ＰＣＳ）デバイス、無線通信デバイスを組み込んでいるＰＤＡデバイス、モバイルまたはポータブル全地球測位システム（ＧＰＳ）デバイス、ＧＰＳ受信機または送受信機またはチップを組み込んでいるデバイス、ＲＦＩＤ要素またはチップを組み込んでいるデバイス、多入力多出力（ＭＩＭＯ）送受信機またはデバイス、単一入力多出力（ＳＩＭＯ）送受信機またはデバイス、多入力単一出力（ＭＩＳＯ）送受信機またはデバイス、１つ又は複数の内部アンテナおよび／または外部アンテナを有するデバイス、デジタルビデオブロードキャスト（ＤＶＢ）デバイスまたはシステム、マルチスタンダード無線デバイスまたはシステム、例えばスマートフォンといった有線または無線ハンドヘルドデバイス、ワイヤレスアプリケーションプロトコル（ＷＡＰ）デバイス等と併せて使用されてもよい。
【００１６】
本明細書で使用されるように、「無線デバイス」という用語は、例えば、無線通信可能なデバイス、無線通信可能な通信デバイス、無線通信可能な通信局、無線通信可能なポータブルまたは非ポータブルデバイス等を含む。幾つかの例証的な実施形態では、無線デバイスは、コンピュータと統合される周辺機器、または、コンピュータに取り付けられる周辺機器であってもよく、又は、それらを含んでもよい。幾つかの例証的な実施形態では、「無線デバイス」という用語は、無線サービスを任意に含んでもよい。
【００１７】
無線通信信号に関して本明細書で使用されるように、「通信」という用語は、無線通信信号を送信すること、および／または、無線通信信号を受信することを含む。例えば、無線通信信号を通信可能な無線通信ユニットは、無線通信信号を少なくとも１つの他の無線通信ユニットに送信する無線送信機、および／または、無線通信信号を少なくとも１つの他の無線通信ユニットから受信する無線通信受信機を含んでもよい。
【００１８】
幾つかの例証的な実施形態は、ＷＬＡＮと併せて使用されてもよい。複数の他の実施形態は、例えば、ワイヤレスエリアネットワーク、「ピコネット」、ＷＰＡＮ、ＷＶＡＮ等といった、任意の他の適切な無線通信ネットワークと併せて使用されてもよい。
【００１９】
幾つかの例証的な実施形態は、６０ＧＨｚの周波数帯域上で通信する無線通信ネットワークと併せて使用されてもよい。しかしながら、複数の他の実施形態は、一例を挙げれば、例えば２０Ｇｈｚから３００ＧＨＺの間の周波数帯域内における周波数帯域といった極超短波（ＥＨＦ）帯域（ミリ波（ｍｍＷａｖｅ）周波数帯域）、ＷＬＡＮ周波数帯域、ＷＰＡＮ周波数帯域、ＷＧＡ仕様による周波数帯域、等の任意の他の適切な無線通信周波数帯域を利用して実施されてもよい。
【００２０】
幾つかの例証的な実施形態は、ロングタームエボリューション（ＬＴＥ）通信ネットワーク上で通信するセルラ通信ネットワークと併せて使用されてもよい。複数の他の実施形態は、任意の他の適切なセルラ通信ネットワークを利用して実施されてもよい。
【００２１】
本発明はこの点で限定されないが、以下の本発明の複数の実施形態は、無線システムの複数の送信機および受信機を含む様々な用途で使用されてもよい。特に本発明の範囲内に含まれる複数の無線システムは、複数のネットワークインタフェースカード（ＮＩＣｓ）、ネットワークアダプタ、固定または移動クライアントデバイス、中継器、基地局、フェムトセル、ゲートウェイ、ブリッジ、ハブ、ルータ、アクセスポイント、又は、他ののネットワークデバイスを含むが、これらに限定されない。更に、本発明の範囲内の複数の無線システムは、複数のパーソナルコンピュータ（ＰＣｓ）、タブレットおよび関連周辺機器を含むそのような複数の無線システムを有する複数のコンピューティングデバイス、携帯情報端末（ＰＤＡｓ）、パーソナルコンピューティングアクセサリ、ハンドヘルド通信デバイス、および、本質的に関連し得、本発明の複数の実施形態の複数の原理が適宜適用され得る全てのシステムに加え、複数のセルラ方式無線電話システム、衛星システム、ツーウェイ無線システムにおいて実装されてもよい。
【００２２】
以下の詳細な説明は、添付の図面を参照する。複数の同じ参照番号は、複数の同じ又は同様の要素を特定すべく、異なる図面において使用され得る。以下の説明では、限定する目的ではなく、説明の複数の目的で、請求される本発明の様々な態様の深い理解を提供すべく、複数の特定の構造、アーキテクチャ、インタフェース、技術等の複数の具体的な詳細が記載される。しかしながら、請求される本発明の様々な態様はこれらの具体的な詳細から離れた他の複数の例において実施され得ることが、本開示の利点を享受する当業者に明らかとなるであろう。特定の複数の例において、周知の複数のデバイス、回路および方法の複数の説明は、不必要な詳細によって本発明の説明が不明瞭にならないよう、省略される。
【００２３】
複数の再構成可能な無線プラットフォームが開発されてきた。これらは、異なる複数の無線アクセス技術で動作する無線デバイスの再構成を提供する。現在、数少ない固定無線アクセス技術（ＲＡＴ）をサポートすることのみが可能であり得る、再構成可能な無線端末は１つも生産されていない。
【００２４】
再構成可能な無線（Ｒｅｃｏｎｆｉｇｕｒａｂｌｅ Ｒａｄｉｏ）というものは、複数の必須の無線特性（複数のキャリア周波数、スペクトル帯域幅、変調技術、コーディング技術、複数の出力電力レベル等）が変更され得るような態様で無線ハードウェアプラットフォームが再構成可能であると想定されている。複数の無線ハードウェアプラットフォームは、本来ヘテロジニアスであって、プログラム化可能性または再構成の異なるレベルで複数の計算要素を含む。
【００２５】
多年にわたってソフトウェアベースの再構成が研究されてきたが、ヨーロッパにおける、無線デバイスに対する根本的な規制フレームワーク（いわゆるＲ＆ＴＴＥディレクティブ）の最近の改訂は、多大な政治的支持による、複数のソフトウェア再構成技術の市場導入を強要している。Ｒ＆ＴＴＥディレクティブの改訂は、２０１４年までにヨーロッパで施行されることに起因して、無線機器のソフトウェア再構成の急増のトリガとなるであろうことが予期され得る。複数の標準化運動がＥＴＳＩの下で進行中であり、ＥＴＳＩによって導入されるビジョンは図１に示されている。
【００２６】
本開示において、再構成可能な無線という用語が使用されてきたが、当業者であれば、この用語が、様々なレベルの再構成可能性、すなわち、部分的にソフトウェア再構成可能である、ファームウェアのアップデートによって再構成可能である、ＲＶＭ（無線仮想マシン）コード（ソースコード、中間表現（ＩＲ）コード、又は、実行可能コードのいずれか）のアップデートによって再構成可能である、等を包含することを理解するであろう。更に、再構成可能性のレベルは、（関係する無線プラットフォームの「開放性」のレベルを制限する目的で）特定の人、例えば製造者によって定義され得ることが理解されるであろう。
【００２７】
図１に示されるように、複数の無線デバイスの再構成用の複数の新しいソフトウェアコンポーネント、いわゆるラジオアプリは、関係する複数のモバイルデバイスの複数の無線特性に影響し得る複数の新しい特徴を提供すべく、複数の独立した開発者によって生成され、複数のモバイルデバイスユーザに対して利用可能にされることが可能である。個々のユーザは、モバイルデバイス上に複数の機能の所望の組み合わせを提供すべく、複数のラジオアプリの異なる複数の組み合わせをインストールしてもよい。複数の無線ネットワーク上での予想不能な複数のインパクトを回避すべく、各ラジオアプリは、ネットワーク上での使用のために認証されなければならない（すなわち、補正操作、非干渉等を保証すべくテストされなければならない）。
【００２８】
ＥＴＳＩビジョンフレームワークにおいて、際立った問題は、どのようにして複数の新しいラジオアプリに対する開発努力を最小化するかということ、及び、どのようにして認証オーバヘッドを最小化するかということである。実際問題として、多かれ少なかれ実質的に無線動作を変更する複数のラジオアプリが存在し得る。すなわち、複数の無線パラメータの複数の変更によって他の複数のモバイルシステムへの干渉のリスクがもたらされないならば、複数の新しいラジオアプリコンポーネントに対して行う、本来備わっている複数の確認／再認証ステップはかなり「軽量」であり得る。一方で、複数のリスクが高いならば（例えば、幾つかの再構成ソフトウェアのバグが、理論上、他の複数の機器／システムに対する多大な干渉に至り得るならば）、複数の新しいラジオアプリコンポーネントに対して行う、本来備わっている複数の差異確認／再認証ステップは、より徹底的なものであることを必要とする。
【００２９】
幾つかの実施形態によると、複数のラジオアプリに対する複数の異なるレベルのフレキシビリティ／構成可能性を提供する、複数のＲＦ保護クラスが導入される。例えば、開発者は、新しいラジオアプリに対して（複数の保護フィルタ等を追加／除去する）１つのターゲットＲＦ保護クラスを選択でき、故に、ＲＦフロントエンド電力効率／フレキシビリティと複数の再認証要件との間におけるトレードオフを選択する。低い保護（又は一切保護されていない）ＲＦクラスの下で動作する新しいラジオアプリは複数の実質的な再認証チェックを受けることを必要とするであろうが、高い保護ＲＦクラスの下で動作する新しいラジオアプリは非常に軽量の再認証処理を必要としてもよい（又は一切の再認証処理も必要としなくてもよい）。
【００３０】
図２は、典型的な、再構成可能な無線機器アーキテクチャ１００を示している。図２のアーキテクチャは、Ａ／Ｄコンバータ１０４およびＤ／Ａコンバータ１０６を介してベースバンドプロセッシング１０８に連結されるＲＦフロントエンド１０２を備える。より高レベルのプロセッシングレイヤ１１４は、ユーザアクセス可能な無線機器デバイスの機能を提供し、ベースバンドプロセッシング１０８に連結される。ベースバンドプロセッシング１０８は、無線仮想マシン（ＲＶＭ）１１０と、ハードワイヤードベースバンド機能１１２とを備える。
【００３１】
図２の無線機器アーキテクチャは、ＲＶＭ上で複数のラジオアプリといった複数のソフトウェアコンポーネントを実行することによって、特定レベルの再構成を可能にする。しかしながら、この配置において、再構成は、ベースバンドプロセッシング１０８内の機能に限定される。ＲＶＭ１１０を介して利用可能なカスタマイゼーション／再構成は、複数のベースバンド保護クラスに依存してもよい。
【００３２】
ベースバンドプロセッシング部１０８は、モバイルデバイスの複数の無線特性に影響するソフトウェアのための制御された実行環境である、いわゆる無線仮想マシン（ＲＶＭ）１１０を備えることに留意されたい。好ましいＲＶＭアプローチは、例えば、参照によって本明細書に組み込まれている、ＰＣＴ／ＵＳ２０１３／０５８６５４（２０１３年９月８日）において詳細に述べられている。本開示のフレームワークでは、再構成ソフトウェア（いわゆるラジオアプリ）が無線仮想マシン１１０へと読み込まれることが想定される。実際問題として、例えば、ファームウェアのアップデートによるソフトウェア再構成、ソフトウェアを、ベースバンドプロセッシングをサポートする複数のデジタル信号プロセッサ（ＤＳＰｓ）若しくはアプリケーションプロセッサ（ＡＰｓ）に提供することによる再構成、又は、その動作の（幾分か制限された）ソフトウェアベースの変化を可能にする複数の柔軟ハードワイヤードブロックの再構成用にソフトウェアを提供することによる再構成など、再構成を可能にする異なる複数のやり方を予想できる。
【００３３】
複数のラジオアプリに利用可能なベースバンド機能上での複数の制限を、そのような複数のソフトウェアコンポーネントを単に（再）認証することに与えるべく、複数のベースバンド保護クラスが導入されてきた。そのような既存の複数の技術は、ベースバンドの観点から干渉保護を提供するのみである。しかしながら、劣ったパラメタリゼーションに起因して、又は、複数の誤入力信号に起因して、望ましくない帯域外放射又はそれと同様のものをもたらすことに至り得るＲＦフロントエンドがよくあることが発見された。
【００３４】
幾つかの実施形態によると、複数のベースバンド１０８保護クラスは、複数のＲＦフロントエンド保護メカニズムを提供することによって拡張される。この配置において、最終的な認証の複雑性は、選択された複数のベースバンド保護メカニズムと、選択された複数の保護メカニズムとの組み合わせに依存する。
【００３５】
複数のＲＦ保護クラス、すなわち、追加的な複数のフィルタ、複数の出力電力レベルの制限等は、正常に動作しない複数のソフトウェアコンポーネントが他の隣接する複数のシステムへの干渉を引き起こすことを防止できる複数のメカニズムを提供すべく、必要により付加されることが可能である。複数のＲＶＭ（ベースバンド）保護クラスと同様に、複数のラジオアプリ（ソフトウェアコンポーネント）開発者は、１セットの利用可能な保護クラスの中から選択することが可能になるであろう。最終的な認証の複雑性は、保護レベルに依存する。すなわち、帯域外放射又はそれと同様のものに対して如何なる保護もなく使用される新しいラジオアプリソフトウェアコンポーネントはより高レベルの保護を必要とするであろうが、高い保護クラスとの組み合わせで使用される新しいラジオアプリソフトウェアコンポーネントは、より軽量な認証処理を必要とするであろう。
【００３６】
図３は、幾つかの実施形態による、複数のＲＦ保護クラスをサポートするよう変更された無線機器アーキテクチャ２００を示している。図３のアーキテクチャ２００は、図２のアーキテクチャと類似するが、ＲＦフロントエンド２０２が、ＲＶＭ２１０上で実行するＲＶＭソフトウェアコンポーネント２１６と関連付けられたＲＦ保護クラスの指標を受信するように、変更されている。
【００３７】
受信したＲＦ保護クラス指標に基づいて、ＲＦフロントエンド２０２は、必要により、異なる複数のフィルタ、電力制限要素、又は、他の保護要素を適用する。複数のＲＦ保護クラスは、複数のベースバンド（ＲＶＭ）保護クラスと併せて使用されてもよい。
【００３８】
複数のＲＦ保護クラスの使用は、ベースバンド（ＲＶＭ）とＲＦフロントエンド保護との共同選択に続いて、ＲＦフロントエンドにおけるＲＦ保護を提供すること、及び、最終的なレベルのデバイス認証複雑性を提案することによって、ベースバンド保護を拡張する。
【００３９】
本開示のフレームワークにおいて、モバイルデバイスシステム環境は、図３に示されるように想定される。勿論、そのようなシステムモデルは、複数の基地局、アクセスポイント、モバイルデバイス、タブレット、スマートフォン等の、ソフトウェア再構成可能な任意の無線機器を指すことができる。
【００４０】
本開示のフレームワークにおいて、ラジオアプリソフトウェア開発者は、無線仮想マシン２１０上で（又は上記で列挙されたような任意の他の適切な実行環境上で）実行されるコード用に、複数の利用可能な保護クラスの中から１つを選択できることが提案される。ＲＦフロントエンド２０２と、ＲＶＭ２１０自体との中で選択される複数の保護クラスが存在することが提案される。選択される複数のＲＦ＆ＲＶＭ保護クラスの組み合わせに応じて、ソフトウェア再構成可能な無線プラットフォームの要求される再認証処理は、多少複雑になるであろう。従って、ラジオアプリ開発者は、トレードオフの中で選択しなければならない。すなわち、ターゲットモバイルデバイスのフレキシビリティのレベルは低減されるが、より高レベルのＲＦ＆ＲＶＭ保護はより軽くて低コストの再認証処理に至るであろう。一方で、より低いレベルのＲＦ＆ＲＶＭ保護は複数のラジオアプリにおけるより多くの特徴を可能にするであろうが、要求される再認証処理は大概、より複雑でよりコストがかかるであろう。
【００４１】
本開示のフレームワークにおいて、３つの例示的な保護レベルが、ＲＦフロントエンド２０２およびＲＶＭ２１０用に導入される。対応する複数のレベルと、複数のラジオアプリ特徴セットの制限に対して提案された複数の結論が、以下の表に与えられている。
【表１】
0006415575.tif 000002
0006415575.tif 000003
0006415575.tif 000004
0006415575.tif 000005
【００４２】
図５から図７で強調表示されている複数の新しい構成要素が、現在実行されているＲＶＭソフトウェアコンポーネントと関連付けられた、必要とされるＲＦ保護クラス指標に基づいて、アクティブ化／非アクティブ化され得るように、複数のマルチプレクサを介して付加されてもよい。複数の保護要素が複数のマルチプレクサを介して連結された複数の例示的なアーキテクチャが、図８および図９に示されている。
【００４３】
幾つかの実施形態によると、図１０に示されるようなアップコンバージョン段階後に、出力電力制限メカニズムおよび最大振幅制限メカニズムが実装されてもよい。
【００４４】
従来の複数のホモダイン式（Ｄｉｒｅｃｔ−ＣｏｎｖｅｒｓｉｏｎまたはＺｅｒｏ−ＩＦ）アーキテクチャに対して上記で提案された複数の変更は、複数のヘテロダイン式アーキテクチャにも適用可能であることが留意されるべきである。その原理は、図１０で概説される複数の変更をヘテロダイン式アーキテクチャに適用することによって、図１１に示されている。
【００４５】
幾つかの実施形態によると、複数の電力および出力振幅制限は、図１２に示されるような中間周波数領域において実行されることができる。
【００４６】
上記の検討では、開示される複数の保護要素はＲＦフロントエンド内に存在するものとして説明されたが、幾つかの実装では、複数のＲＦ保護メカニズムは、例えば、ＲＦ送受信機チェーンに連結される電力アンプ等の一部として、ＲＦフロントエンドに連結される外部回路上に設けられてもよい。
【００４７】
ＲＶＭ保護クラスとＲＦフロントエンド保護クラスとの組み合わせに応じて、新しいターゲットラジオアプリを操作する複数のデバイスに必要とされる再認証は、多少複雑でコストがかかるものとなるであろう。ターゲットモバイルプラットフォームの当該再認証は通常、図１に示されるものと同様に、新しいラジオアプリが、例えばオンラインラジオアプリ販売プラットフォームを介して市場に投下される前に実行されることを必要とする。選択されたＲＶＭ及びＲＦ保護クラスによる複数のラジオアプリの（再）認証に対して予期されるコスト及び複雑性は、以下の表で概説される。
【表２】
0006415575.tif 000006
0006415575.tif 000007
0006415575.tif 000008
0006415575.tif 000009
【００４８】
ターゲットラジオアプリを操作する複数のモバイルデバイスの再認証に必要とされる複数の処理は、関係する複数の国内規制当局（Ｎａｔｉｏｎａｌ Ｒｅｇｕｌａｔｉｏｎ Ａｕｔｈｏｒｉｔｉｅｓ）によって許可されるであろう。
【００４９】
本明細書において説明される無線機器アーキテクチャ２００は、所望のように構成する任意の適切なハードウェアおよび／またはソフトウェアを使用して、システム内に実装されてもよい。図１３は、一実施形態に関して、１つ又は複数のプロセッサ１３４０と、複数のプロセッサ１３４０の少なくとも１つと連結されたシステム制御ロジック１３２０と、システム制御ロジック１３２０と連結されたシステムメモリ１３１０と、システム制御ロジック１３２０と連結された不揮発性メモリ（ＮＶＭ）／ストレージ１３３０と、システム制御ロジック１３２０と連結されたネットワークインタフェース１３６０とを備える例示的なシステム１３００を示している。システム制御ロジック１３２０はまた、複数の入力／出力デバイス１３５０に連結されてもよい。
【００５０】
プロセッサ１３４０は、１つ又は複数のシングルコアまたはマルチコアプロセッサを含んでもよい。プロセッサ１３４０は、複数の汎用プロセッサと、複数の専用プロセッサ（例えば、複数のグラフィックプロセッサ、アプリケーションプロセッサ、ベースバンドプロセッサ等）との任意の組み合わせを含んでもよい。複数のプロセッサ１３４０は、複数の適切な命令またはプログラムを使用して、上記で説明された複数の方法を実行するよう動作可能であってもよい（すなわち、プロセッサまたは他の複数のロジック命令の使用によって動作してもよい）。複数の命令は、システムメモリ１３１０、オーディオプロセッサメモリ部１３１５に格納されてもよく、又は、追加的若しくは代替的に、ラジオアプリ部１３３５のように、（ＮＶＭ）／ストレージ１３３０に格納されてもよい。
【００５１】
一実施形態に関するシステム制御ロジック１３２０は、複数のプロセッサ１３４０の少なくとも１つに対して、および／または、システム制御ロジック１３２０と通信している任意の適切なデバイス又は構成要素に対して、任意の適切なインタフェースを提供すべく、複数の任意の適切なインタフェースコントローラを含んでもよい。
【００５２】
一実施形態に関するシステム制御ロジック１３２０は、インタフェースをシステムメモリ６１０に提供すべく、１つ又は複数のメモリコントローラ（図示せず）を含んでもよい。システムメモリ１３１０は、例えばシステム１３００用に、データおよび／または複数の命令をロードおよび格納するのに使用されてもよい。一実施形態に関するシステムメモリ１３１０は、例えば適切な動的ランダムアクセスメモリ（ＤＲＡＭ）のような、任意の適切な揮発性メモリを含んでもよい。
【００５３】
ＮＶＭ／ストレージ１３３０は、例えばデータおよび／または複数の命令を格納するのに使用される、１つ又は複数の有形な非一時的コンピュータ可読媒体を含んでもよい。ＮＶＭ／ストレージ１３３０は、例えばフラッシュメモリのような任意の適切な不揮発性メモリを含んでもよく、および／または、例えば、１つ又は複数のハードディスクドライブ（ＨＤＤ）、１つ又は複数のコンパクトディスク（ＣＤ）ドライブ、および／または、１つ又は複数のデジタル多用途ディスク（ＤＶＤ）ドライブなどの、任意の適切な不揮発性ストレージデバイスを含んでもよい。
【００５４】
ＮＶＭ／ストレージ１３３０は、物理的に、システム１３００がインストールされるデバイスの一部であるストレージリソースを含んでもよく、又は、そのデバイスによってアクセス可能であってもよいが、必ずしもその一部ではなくてもよい。例えば、ＮＶＭ／ストレージ１３３０は、ネットワークインタフェース１３６０によって、ネットワーク経由でアクセスされてもよい。
【００５５】
システムメモリ１３１０およびＮＶＭ／ストレージ１３３０はそれぞれ、特に、例えば、ラジオアプリ命令部１３１５および１３３５のそれぞれの、一時的なコピーと永続的なコピーとを含んでもよい。命令部１３１５および１３３５は、複数のプロセッサ１３４０の少なくとも１つによって実行された場合に、システム１３００が本明細書で説明されるような任意の実施形態の方法を実施するという結果になる、複数の命令を含んでもよい。幾つかの実施形態において、命令部１３１５および１３３５、又は、それらのハードウェア、ファームウェアおよび／もしくはソフトウェアコンポーネントは、追加的／代替的に、システム制御ロジック１３２０、ネットワークインタフェース１３６０および／またはプロセッサ１３４０内に位置してもよい。
【００５６】
ネットワークインタフェース１３６０は、１つ又は複数のネットワーク（例えば無線通信ネットワーク）を経由して通信する、および／または、任意の他の適切なデバイスと通信するシステム１３００に対して、無線インタフェースを提供すべく、送受信機モジュール１３６５を有してもよい。様々な実施形態において、送受信機１３６５は、システム１３００の他の複数の構成要素と統合されてもよい。例えば、送受信機１３６５は、プロセッサ１３４０のプロセッサと、システムメモリ１３１０のメモリと、ＮＶＭ／ストレージ１３３０のＮＶＭ／ストレージとを含んでもよい。ネットワークインタフェース１３６０は、任意の適切なハードウェアおよび／またはファームウェアを含んでもよい。ネットワークインタフェース１３６０は、多入力多出力無線インタフェースを提供すべく、複数のアンテナに動作的に連結されてもよい。一実施形態に関するネットワークインタフェース１３６０は、例えば、ネットワークアダプタ、無線ネットワークアダプタ、電話モデム、および／または、無線モデムを含んでもよい。
【００５７】
一実施形態に関して、複数のプロセッサ１３４０の少なくとも１つは、システム制御ロジック１３２０の１つ又は複数のコントローラ用のロジックと共にパッケージされてもよい。一実施形態に関して、複数のプロセッサ１３４０の少なくとも１つは、システムインパッケージ（ＳＩＰ）を形成すべく、システム制御ロジック１３２０の１つ又は複数のコントローラ用のロジックと共にパッケージされてもよい。一実施形態に関して、複数のプロセッサ１３４０の少なくとも１つは、システム制御ロジック１３２０の１つ又は複数のコントローラ用のロジックと同じダイ上で統合されてもよい。一実施形態に関して、複数のプロセッサ１３４０の少なくとも１つは、システムオンチップ（ＳｏＣ）を形成すべく、システム制御ロジック１３２０の１つ又は複数のコントローラ用のロジックと同じダイ上で統合されてもよい。
【００５８】
様々な実施形態において、複数のＩ／Ｏデバイス１３５０は、ユーザに、システム１３００とのインタラクションを可能にさせるよう設計された複数のユーザインタフェース、又は、周辺構成要素に、システム１３００と関連する複数の環境条件および／もしくは位置情報を判断するよう設計された複数のセンサとのインタラクションを可能にさせるよう設計された複数のペリフェラルコンポーネントインタフェースを含んでもよい。
【００５９】
図１４は、システム１３００がモバイルデバイス１４００の特定形態でＵＥを実装する、ある実施形態を示している。
【００６０】
様々な実施形態において、複数のユーザインタフェースは、ディスプレイ１４４０（例えば、液晶ディスプレイ、タッチスクリーンディスプレイ等）、スピーカ１４３０、マイク１４９０、１つ又は複数のカメラ１４８０（例えば、スチールカメラおよび／またはビデオカメラ）、フラッシュライト（例えば発光ダイオードフラッシュ）、及び、キーボード１４７０を含み得るが、これらに限定されない。
【００６１】
様々な実施形態において、複数のペリフェラルコンポーネントインタフェースは、不揮発性メモリポート、オーディオジャック、及び、電力供給インタフェースを含んでもよいが、これらに限定されない。
【００６２】
様々な実施形態において、複数のセンサは、ジャイロセンサ、加速度計、近接センサ、環境光センサ、及び、測位ユニットを含んでもよいが、これらに限定されない。測位ユニットはまた、例えば全地球測位システム（ＧＰＳ）衛星といった測位ネットワークの複数の構成要素と通信すべく、ネットワークインタフェース１４６０の一部であってもよく、又は、それとインタラクトしてもよい。
【００６３】
様々な実施形態において、システム１３００は、ラップトップコンピューティングデバイス、タブレットコンピューティングデバイス、ネットブック、モバイルフォン等のモバイルコンピューティングデバイスであってもよいが、これらに限定されない。様々な実施形態において、システム１４００は、多少の構成要素、および／または、異なる複数のアーキテクチャを有してもよい。
【００６４】
複数の実施形態において、実装される無線ネットワークは、第３世代パートナーシッププロジェクトのロングタームエボリューション（ＬＴＥ）アドバンスド無線通信規格であってもよく、これは、３ＧＰＰの複数のＬＴＥ−Ａ規格のリリース８、９、１０、１１および１２、又はその後のものを含んでもよいが、これらに限定されない。
【００６５】
特定の複数の実施形態が、説明の複数の目的で、本明細書において示されて説明されたが、同じ複数の目的を達するよう計算された、多種多様な代替的および／または等価的な実施形態又は実装が、本開示の範囲から逸脱すること無く、示されて説明された複数の実施形態の代わりに用いられ得る。本願は、本明細書で論じられた複数の実施形態の何れの改変または変形も網羅することを意図されている。従って、本明細書において説明された複数の実施形態は、特許請求の範囲、及び、その複数の等価物のみによって限定されることが明白に意図されている。
【００６６】
［複数の例］  例示的な実施形態によると、複数の無線通信信号を送信するためのＲＦフロントエンドが提供され、ＲＦフロントエンドは、複数の要素を備え、ＲＦ保護クラス信号を取得し、取得されたＲＦ保護クラス信号に基づいて、複数の要素の１つ又は複数を送信された信号に選択的に適用するよう構成される。
【００６７】
幾つかの例示的な実施形態によると、ＲＦフロントエンドは、ベースバンドプロセッサからＲＦ保護クラス信号を取得するよう構成される。
【００６８】
幾つかの例示的な実施形態によると、複数の要素は、複数の帯域外発射の制限、複数のスプリアス発射の制限、複数の最大電力出力レベルの制限、および／または、最大電力スペクトル密度の制限の少なくとも１つによって、保護を与える複数の保護要素を有する。
【００６９】
幾つかの例示的な実施形態によると、複数の要素は、ハイパスフィルタ、ローパスフィルタおよびバンドパスフィルタの１つ又は複数を有する。
【００７０】
幾つかの例示的な実施形態によると、複数の要素は、ＲＦフロントエンドによって出力される信号の、複数の出力電力レベル、複数の時間領域振幅レベル、複数の電力スペクトル密度制限、複数の発射マスク制限、複数のスプリアス発射制限、および／または、複数の隣接チャンネル漏れ電力比制限を制限するよう構成された、１つ又は複数の電力制限要素を有する。
【００７１】
幾つかの例示的な実施形態によると、ＲＦ保護クラス信号は、ＲＦ＿保護＿無、ＲＦ＿保護＿中位、及び、ＲＦ＿保護＿高位のうちの１つを含む値を有する。
【００７２】
幾つかの例示的な実施形態によると、ＲＦフロントエンドは更に、ＲＦ＿保護＿無の値を有するＲＦ保護クラス信号に応答して、複数の要素を一切適用しないよう構成される。
【００７３】
幾つかの例示的な実施形態によると、ＲＦフロントエンドは更に、ＲＦ＿保護＿中位の値を有するＲＦ保護クラス信号に応答して、ローパスフィルタ保護要素およびバンドパスフィルタ保護要素を選択的に適用するよう構成される。
【００７４】
幾つかの例示的な実施形態によると、ＲＦフロントエンドは更に、ＲＦ＿保護＿高位の値を有するＲＦ保護クラス信号に応答して、ローパスフィルタ保護要素、バンドパスフィルタ保護要素、出力電力制限保護要素、及び、時間領域振幅制限保護要素を選択的に適用するよう構成される。
【００７５】
幾つかの例示的な実施形態によると、ＲＦフロントエンドは更に、ＲＦ保護クラス信号に基づいて、複数の要素を選択的に有効／無効にするよう配置された複数のマルチプレクサを有してもよい。
【００７６】
幾つかの例示的な実施形態によると、複数の要素を有するＲＦフロントエンドと、無線構成ソフトウェアを実行し、無線構成ソフトウェアと関連付けられたＲＦ保護クラスを表すＲＦ保護クラス信号を出力するよう動作可能な無線仮想マシンを有するベースバンドプロセッサとを備える再構成可能な無線デバイスが提供され、ＲＦフロントエンドは、無線仮想マシンからＲＦ保護クラス信号を受信し、取得されたＲＦ保護クラス信号に基づいて、複数の要素の１つ又は複数を１つの信号に選択的に適用するよう構成される。
【００７７】
幾つかの例示的な実施形態によると、複数の要素は、複数の帯域外発射の制限、複数のスプリアス発射の制限、複数の最大電力出力レベルの制限、および／または、最大電力スペクトル密度の制限の少なくとも１つによって、保護を与える複数の保護要素を有する。
【００７８】
幾つかの例示的な実施形態によると、再構成可能な無線デバイスは、無線構成ソフトウェアと関連付けられたＲＦ保護クラスを認証エンティティから取得するよう構成される。
【００７９】
幾つかの例示的な実施形態によると、再構成可能な無線デバイスは、ファームウェアのアップデートによって再構成可能、ソフトウェアによって部分的に再構成可能、又は、複数の無線仮想マシンコードのアップデートによって再構成可能となるよう構成される。
【００８０】
幾つかの例示的な実施形態によると、無線構成ソフトウェアを認証するのに必要とされる認証レベルは、無線構成ソフトウェアと関連付けられたＲＦ保護クラスに依存する。
【００８１】
幾つかの例示的な実施形態によると、無線ネットワーク内での使用のためのユーザ機器が提供され、ユーザ機器は、上記で説明された少なくとも１つの再構成可能な無線デバイスと、スクリーン、スピーカ、タッチスクリーン、キーボード、複数のアンテナを含むアンテナアレイ、グラフィックプロセッサ、又は、アプリケーションプロセッサの１つ又は複数とを有する。
【００８２】
幾つかの例示的な実施形態によると、再構成可能な無線デバイスの１つ又は複数の送受信機機能を構成する無線構成ソフトウェアを実行する段階と、無線構成ソフトウェアと関連付けられたＲＦ保護クラスに基づいてＲＦ保護クラス信号を生成する段階と、ＲＦ保護クラス信号に基づいて複数の要素の１つ又は複数をＲＦフロントエンド内の信号に選択的に適用する段階とを含む方法が提供される。
【００８３】
幾つかの例示的な実施形態によると、複数の要素の１つ又は複数をＲＦフロントエンド内の信号に選択的に適用する段階は、ローパスフィルタ、ハイパスフィルタ、及び、バンドパスフィルタの１つ又は複数を適用する段階を含む。
【００８４】
幾つかの例示的な実施形態によると、複数の要素の１つ又は複数をＲＦフロントエンド内の信号に選択的に適用する段階は、ＲＦフロントエンドによって出力される信号の、複数の出力電力レベルおよび／または複数の時間領域振幅レベルを制限するよう構成された、１つ又は複数の電力制限要素を適用する段階を含む。
【００８５】
幾つかの例示的な実施形態によると、複数の要素は、複数の帯域外発射の制限、複数のスプリアス発射の制限、複数の最大電力出力レベルの制限、および／または、最大電力スペクトル密度の制限の少なくとも１つによって、保護を与える複数の保護要素を有する。
【００８６】
幾つかの例示的な実施形態によると、処理上で実行された場合に、再構成可能な無線デバイスの１つ又は複数の送受信機機能を構成する段階と、無線構成ソフトウェアと関連付けられたＲＦ保護クラスに基づいてＲＦ保護クラス信号を生成する段階と、ＲＦ保護クラス信号に基づいて、複数の要素の１つ又は複数を、ＲＦフロントエンド内の信号に適用させる段階と、を含む方法を実施するよう構成されたコンピュータプログラムコードを有する非一時的コンピュータプログラム製品が提供される。
【００８７】
幾つかの例示的な実施形態によると、複数の要素は、複数の帯域外発射の制限、複数のスプリアス発射の制限、複数の最大電力出力レベルの制限、および／または、最大電力スペクトル密度の制限の少なくとも１つによって、保護を与える複数の保護要素を有する。
【図１】
0006415575.tif 000010
【図２】
0006415575.tif 000011
【図３】
0006415575.tif 000012
【図４】
0006415575.tif 000013
【図５】
0006415575.tif 000014
【図６】
0006415575.tif 000015
【図７】
0006415575.tif 000016
【図８】
0006415575.tif 000017
【図９】
0006415575.tif 000018
【図１０】
0006415575.tif 000019
【図１１】
0006415575.tif 000020
【図１２】
0006415575.tif 000021
【図１３】
0006415575.tif 000022
【図１４】
0006415575.tif 000023